(57)【要約】【課題】  本発明は、記録ディスクメディアの枚数を増やしたとしても、その回転動作を安定にすることができる記録ディスクカートリッジを提供することを目的とする。【解決手段】  磁気ディスクカートリッジ１は、フレキシブルな複数の磁気ディスクメディア４１と、これらの磁気ディスクメディア４１を一体に回転させるために磁気ディスクメディア４１の中心部に設けられるセンタコア４２と、磁気ディスクメディア４１およびセンタコア４２を回転可能に収容するとともに、積層されたセンタコア４２のうち下側のセンタコア４２を外部に露出させるための開口部１６を有したカートリッジケース２とを備えている。そして、この磁気ディスクカートリッジ１には、積層されたセンタコア４２全体を開口部１６側に付勢する圧縮コイルばね４６が設けられている。【選択図】      図１
2006059422.tif 000002
【特許請求の範囲】
【請求項１】
フレキシブルな複数の記録ディスクメディアと、
これらの記録ディスクメディアを一体に回転させるために記録ディスクメディアを保持する回転体と、
前記記録ディスクメディアおよび前記回転体を回転可能に収容するとともに、前記回転体の一端を外部に露出させるための開口部を有したカートリッジケースとを備える記録ディスクカートリッジであって、
前記回転体を前記開口部側に付勢する弾性部材を設けたことを特徴とする記録ディスクカートリッジ。
【請求項２】
請求項１に記載の記録ディスクカートリッジであって、
前記回転体の他端側の中心部に、前記回転体の軸方向に沿って摺動自在に係合し、かつ、その先端が前記カートリッジケースに接触する支軸部を有し、
前記弾性部材が、前記支軸部と前記回転体との間に配設されることで、前記回転体を前記開口部側に押圧することを特徴とする記録ディスクカートリッジ。
【請求項３】
請求項２に記載の記録ディスクカートリッジであって、
前記支軸部と前記カートリッジケースとの接触部分の少なくとも一方に、耐磨耗部材が設けられていることを特徴とする記録ディスクカートリッジ。
【請求項４】
請求項１〜請求項３のうちのいずれか１項に記載の記録ディスクカートリッジであって、
前記回転体は、
前記記録ディスクメディアごとに設けられるセンタコアを、互いに相対回転不能となる状態で積層することで構成されていることを特徴とする記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。この技術では、複数枚の磁気ディスクメディアをその中心孔側から一体に支持するセンタコアの一端を、磁気ディスクドライブのスピンドルで磁気的に吸着することで各磁気ディスクメディアを同時に回転させる構造であるため、このように同時に回転する複数枚の磁気ディスクメディアに複数の磁気ヘッドをそれぞれ別々にアクセスさせることによって、データの転送速度の向上なども図ることが可能となっている。
【特許文献１】特開２００４−２２０１１号公報
【発明の開示】
【発明が解決しようとする課題】
【０００４】
しかしながら、前記した特許文献１の磁気ディスクカートリッジでは、センタコアの一端を磁気ディスクドライブのスピンドルに磁気的に吸着させるだけの構造であるため、磁気ディスクメディアの枚数を増やすことによりその軸方向における長さが大きくなると、その回転動作が不安定になるといった問題があった。
【０００５】
そこで、本発明は、記録ディスクメディアの枚数を増やしたとしても、その回転動作を安定させることができる記録ディスクカートリッジを提供することを目的とする。
【課題を解決するための手段】
【０００６】
前記した課題を解決するため、本発明の記録ディスクカートリッジは、フレキシブルな複数の記録ディスクメディアと、これらの記録ディスクメディアを一体に回転させるために記録ディスクメディアを保持する回転体と、前記記録ディスクメディアおよび前記回転体を回転可能に収容するとともに、前記回転体の一端を外部に露出させるための開口部を有したカートリッジケースとを備える記録ディスクカートリッジであって、前記回転体を前記開口部側に付勢する弾性部材を設けたことを特徴とする。
【０００７】
このような構造によれば、弾性部材によって回転体がカートリッジケースの開口部側に付勢されているので、開口部から露出する回転体の一端に開口部側から進入してくるディスクドライブのスピンドルが係合するときにおいて、弾性部材が回転体をスピンドルに押し付けることとなる。これにより、回転体とスピンドルとが強固に係合することとなるので、記録ディスクメディアの枚数を増やしたとしても、その回転動作を安定させることができる。
【０００８】
また、前記した記録ディスクカートリッジとしては、前記回転体の他端側の中心部に前記回転体の軸方向に沿って摺動自在に係合し、かつ、その先端が前記カートリッジケースに接触する支軸部を有し、前記弾性部材が、前記支軸部と前記回転体との間に配設されることで、前記回転体を前記開口部側に押圧することを特徴とするものであってもよい。
【０００９】
このような構造によれば、カートリッジケースに接する支軸部で支えられている弾性部材が、前記したように回転体をディスクドライブのスピンドルに押し付けることでこれらを強固に係合させる。また、このように回転体がスピンドルで支持された状態においては、弾性部材は、回転体を押圧すると同時に支軸部をもカートリッジケースに押し付けるので、回転体（各記録ディスクメディア）の回転中心が確立されるとともに、回転体のぶれが抑制されて、回転体の回転動作をさらに安定させることができる。
【００１０】
また、前記した記録ディスクカートリッジとしては、前記支軸部と前記カートリッジケースとの接触部分の少なくとも一方に、耐磨耗部材が設けられていることを特徴とするものであってもよい。
【００１１】
このような構造によれば、支軸部とカートリッジケースとの接触部分の少なくとも一方に耐磨耗部材が設けられているので、支軸部またはカートリッジケースの磨耗が抑制され、耐久性を向上させることができる。
【００１２】
また、前記した記録ディスクカートリッジとしては、前記回転体が、前記記録ディスクメディアごとに設けられるセンタコアを、互いに相対回転不能となる状態で積層することで構成されていることを特徴とするものであってもよい。
【００１３】
このような構造によれば、記録ディスクメディアごとに設けられるセンタコアを単に積層していく構造であるため、記録ディスクメディアとセンタコアのセットを増減するだけで、容易に記録ディスクメディアの枚数を変更することができる。
【発明の効果】
【００１４】
本発明によれば、弾性部材によって、回転体が、開口部側から進入してくるディスクドライブのスピンドルに押し付けられるので、回転体とスピンドルとが強固に係合することとなり、記録ディスクメディアの枚数を増やしたとしても、その回転動作を安定させることができる。
【発明を実施するための最良の形態】
【００１５】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１６】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア（回転体）４２が貼り付けられている。そして、センタコア４２同士がスペーサ（回転体）４３，４３′により係合して５枚の磁気ディスクメディア４１（この積層・一体化された磁気ディスクメディア４１をディスクスタック４０とする）を一体に回転するようになっている。
【００１７】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００１８】
この開口部３は、ディスクスタック４０と同軸に回動するシャッタ４により開閉される。シャッタ４は、図１に示すように下ロータ５１と上ロータ５２とを組み合わせることにより構成されている。
【００１９】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００２０】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印で示す方向へ進入して開口１５へ入り込む通路となっている。
【００２１】
前記したリブ１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００２２】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００２３】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されず、側壁１３に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００２４】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００２５】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００２６】
図５に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００２７】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周で一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００２８】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００２９】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００３０】
次に、磁気ディスクメディア４１およびその積層構造について説明する。
磁気ディスクメディア４１は、例えばポリエステルなどの樹脂シートに磁性塗料を両面に塗布したものである。
【００３１】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３２】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３３】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３４】
なお、最上層のセンタコア４２は、上側に回転係止すべきセンタコアが無いため、その上には下側にのみピン４３ｂを突出させた、厚みの薄いトップスペーサ４３′が配置される。
【００３５】
以上のように積層された磁気ディスクメディア４１、つまりディスクスタック４０は、連結軸（支軸部）４４、ベアリングボール４５、圧縮コイルばね（弾性部材）４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなり、センタコア４２のセンタホール４２ｄ（詳しくは、図６に示すセンタホール４２ｄの回りに上方へ突出するように形成されたフランジ部４２ｆ）に、センタコア４２の中心軸方向において摺動自在に係合している。ボール保持部４４ｂは、軸部４４ａの上端に上側に開口した有底円筒状に形成されている。ボール保持部４４ｂの深さは、ベアリングボール４５の半径より大きく直径より小さいため、ベアリングボール４５がボール保持部４４ｂに安定して保持されるとともに、上プレート３０に設けられるセンタプレート４７に点接触するようになっている。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００３６】
センタプレート４７は、上プレート３０の内面の中心、つまり、リブ３７の内側の平面部分に貼り付けられた滑り部材（耐磨耗部材）である。センタプレート４７は、例えば、ポリオキシメチレン樹脂、超高分子量ポリエチレンなどの滑り性と耐摩耗性に優れた材料から構成することができる。
【００３７】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００３８】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。なお、この圧縮コイルばね４６は、積層されたセンタコア４２を下方に押圧（付勢）すると同時に、この押圧されたセンタコア４２が下プレート１０またはスピンドル６５で支持されることにより前記した連結軸４４をも常時上プレート３０側に押圧しており、これによりベアリングボール４５とセンタプレート４７は常時接触した状態を保っている。
【００３９】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００４０】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
【００４１】
そして、図５に示すように、スピンドル６５が最下層に位置するセンタコア４２を磁気的に吸着すべく、上昇していくと、このスピンドル６５によってディスクスタック４０が多少持ち上げられることとなる。これにより、予め縮められた状態で設けられている圧縮コイルばね４６がさらに縮められることとなるので、センタコア４２が適度な押圧力によってスピンドル６５に押圧されて、センタコア４２とスピンドル６５とが強固に係合することとなる。また、このとき、さらに縮められた圧縮コイルばね４６によって、連結軸４４も上プレート３０側に適度な押圧力で押圧されることにより、ベアリングボール４５とセンタプレート４７とが良好に摺接することができる状態となる。
【００４２】
そして、このように最下層のセンタコア４２と係合したスピンドル６５を回転させると、ベアリングボール４５とセンタプレート４７とが点接触している位置を中心にして、ディスクスタック４０が安定して回転することとなる。その後、アクチュエータ６１により駆動されることでスイングアーム６２が回動して、磁気ヘッド６３が磁気ディスクメディア４１の上に移動される。
【００４３】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００４４】
以上によれば、本実施形態において、次のような効果を得ることができる。
圧縮コイルばね４６によって、センタコア４２が、開口部１６側から進入してくる磁気ディスクドライブのスピンドル６５に押し付けられるので、センタコア４２とスピンドル６５とが強固に係合することとなり、磁気ディスクメディア４１の枚数を本実施形態のように５枚に増やしたとしても、その回転動作を安定させることができる。
【００４５】
センタコア４２がスピンドル６５で支持された状態においては、圧縮コイルばね４６は、センタコア４２を押圧すると同時に連結軸４４（ベアリングボール４５）をもカートリッジケース２に押し付けるので、ディスクスタック４０の回転中心が確立され、ディスクスタック４０の回転動作をさらに安定させることができる。
【００４６】
耐磨耗部材であるセンタプレート４７が設けられているので、カートリッジケース２に直接ベアリングボール４５を摺接させる構造に比べ、カートリッジケース２の磨耗が抑制され、耐久性を向上させることができる。
【００４７】
磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００４８】
以上、本発明の実施形態について説明したが、本発明は前記した実施形態に限定されることなく適宜変形して実施することが可能である。例えば、前記実施形態においては、記録ディスクメディアとして磁気ディスクメディア４１を適用したが、光によりデータを記録する光ディスクメディアの場合にも同様に適用することができる。
また、前記実施形態においては、下プレート１０、インナプレート２０、上プレート３０をネジ９１により締結固定したが、接着、溶着により一体に固定することも可能である。
【００４９】
前記実施形態では、連結軸４４をセンタコア４２のセンタホール４２ｄに挿通させることで、連結軸４４をセンタコア４２に対して摺動させる構造としたが、本発明はこれに限定されるものではない。例えば、図７に示すように、センタホール４２ｄが形成されていない最上層のセンタコア４２の中心部に上方に突出するような円柱状のスライド軸Ｓを設け、このスライド軸Ｓに沿って摺動するように連結軸７０を形成した構造であってもよい。なお、この連結軸７０は、前記実施形態における連結軸４４の上端部分を切り取った形状（ボール保持部４４ｂ）を有し、さらにその下部にスライド軸Ｓと摺動する有底円筒状の摺動部７１と、この摺動部７１の周囲に形成される前記実施形態のばね保持部４４ｃと略同形状のばね保持部７２とを有した構造となっている。この構造によれば、最下層のセンタコア４２以外のセンタコア４２には、バーリング加工によってセンタホール４２ｄを設ける必要がないので、その分製造が容易となる。ただし、この構造では、センタコア４２を三種類（スライド軸Ｓを接合したタイプ、センタホール４２ｄを形成しないタイプ、センタホール４２ｄを設けるタイプ）設けなければならないので、コストの面では前記実施形態の構造を採用するのが望ましい。
【００５０】
前記実施形態では、回転体として、複数のセンタコア４２を積層した構造を採用したが、本発明はこれに限定されず、例えば図８に示すように、ハブ８１と、スペーサリング８２と、クランパ８３とで構成されたものを回転体としてもよい。ここで、ハブ８１は、有底円筒状に形成された磁性部材であり、主に、円筒状に形成される筒部８１ａと、この筒部８１ａの下端側に形成される底部８１ｂと、この底部８１ｂの外周側から外方に向かって延びるフランジ８１ｃとで構成されている。なお、底部８１ｂには、磁気ディスクドライブのスピンドルを内部に進入させるためのスピンドル孔８１ｄが形成されている。スペーサリング８２は、複数の磁気ディスクメディア４１をそれぞれ所定の間隔を空けて保持するために、各磁気ディスクメディア４１の間に配設されるリング状の部材である。また、クランパ８３は、ハブ８１の筒部８１ａの内面に嵌合する円柱状の嵌合部８３ａと、この嵌合部８３ａの上端縁に形成されるフランジ８３ｂとを有した部材である。そして、ハブ８１の筒部８１ａの外側に磁気ディスクメディア４１およびスペーサリング８２を順次配設していき、その後ハブ８１の筒部８１ａにクランパ８３を嵌合させることでハブ８１のフランジ８１ｃとクランパ８３のフランジ８３ｂとの間で各磁気ディスクメディア４１が所定の間隔を置いて保持されるようになっている。
【００５１】
なお、この構造においては、各磁気ディスクメディア４１およびスペーサリング８２が回転方向に個々に移動しないように互いに固着されるとともに、上下端にある磁気ディスクメディア４１についてはクランパ８３のフランジ８３ｂとハブ８１のフランジ８１ｃにも固着されている。ここで、磁気ディスクメディア４１、スペーサリング８２および各フランジ８３ｂ，８１ｃとの固着方法は、どのような方法であってもよく、例えば接着剤による固着方法や、各磁気ディスクメディア４１、各スペーサリング８２および各フランジ８３ｂ，８１ｃを前記実施形態のようにピン４３ｂで互いに相対回転不能に固着させる方法などがある。
【００５２】
そして、このような回転体を採用した場合では、図示の通り、クランパ８３の中心部に有底円筒状の摺動孔８３ｃを形成し、この摺動孔８３ｃに摺動するように形成された前記実施形態と略同形状（ばね保持部４４ｃを取り除いた形状）の連結軸４４を設け、この連結軸４４の下面と摺動孔８３ｃの底面との間に圧縮コイルばね４６を設けることで、前記実施形態と同様の作用効果を奏することができる。ただし、前記実施形態のようなセンタコア４２を積層させる構造では、各インナプレート２０（または下ロータ５１）と各磁気ディスクメディア４１（センタコア４２を含む）とを組立作業の際に一つのユニットとして扱うことができ、その組立作業を容易にすることができるメリットを有するので、前記実施形態のような構造にするのが望ましい。
【００５３】
前記実施形態では、連結軸４４の上端に設けたベアリングボール４５と、上プレート３０に設けたセンタプレート４７とが点接触するような構造を採用したが、本発明はこれに限定されるものではない。例えば、図９に示すように、上プレート３０の中央部に形成される有底円筒状の摺動部８５と、この摺動部８５の外周面と摺動するように設けられる有底円筒状の摺接部材（耐磨耗部材）８６と、摺動部８５と摺接部材８６との間に設けられて摺接部材８６をセンタコア４２側に押圧する圧縮コイルばね４６と、最上層のセンタコア４２の中心部に設けられて前記摺接部材８６と摺接するセンタプレート４７とを備える構造であってもよい。このような構造であっても、センタコア４２の積層体がスピンドル６５に押圧されるので、ディスクスタック４０の回転を安定させることができる。ただし、この構造では、摺接部材８６とセンタプレート４７とを点接触させるために、摺接部材８６の底部に略半球状の突起部８６ａを形成するのが望ましい。
【図面の簡単な説明】
【００５４】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ａ）におけるIV−IV断面図である。
【図５】図４の部分拡大図である。
【図６】磁気ディスクメディアの積層構造を示す分解斜視図である。
【図７】本発明の他の実施形態を示す図であり、センタコアの中心にセンタホールの代わりにスライド軸を設けた形態を示す断面図である。
【図８】ハブ、スペーサリング、クランパで構成される回転体に本発明を適用した場合の一例を示す断面図である。
【図９】ベアリングボールを利用しないでディスクスタックをスピンドルに押圧させる構造の一例を示す断面図である。
【符号の説明】
【００５５】
１      磁気ディスクカートリッジ
２      カートリッジケース
１０    下プレート
１６    開口部
２０    インナプレート
３０    上プレート
４０    ディスクスタック
４１    磁気ディスクメディア
４１ａ  開口部
４２    センタコア
４２ａ  底板
４２ｂ  側壁
４２ｃ  フランジ
４２ｄ  センタホール
４２ｅ  小孔
４２ｆ  フランジ部
４３    スペーサ
４３´  トップスペーサ
４３ａ  本体部
４３ｂ  ピン
４３ｃ  小径孔部
４３ｄ  大径孔部
４４    連結軸
４４ａ  軸部
４４ｂ  ボール保持部
４４ｃ  ばね保持部
４５    ベアリングボール
４６    圧縮コイルばね
４７    センタプレート
６５    スピンドル
【図１】
2006059422.tif 000003
【図２】
2006059422.tif 000004
【図３】
2006059422.tif 000005
【図４】
2006059422.tif 000006
【図５】
2006059422.tif 000007
【図６】
2006059422.tif 000008
【図７】
2006059422.tif 000009
【図８】
2006059422.tif 000010
【図９】
2006059422.tif 000011